(57)【要約】【課題】  この発明は、ハウジング内の粉塵を効率よく捕集するとともに空気の乱流を防止できるディスク装置を提供すること課題とする。【解決手段】  本発明のディスク駆動装置は、基台とカバーからなるハウジングと、前記ハウジング内に回転可能に搭載されたディスクと、前記ハウジング内の流動空気から粉塵をろ過するためのフィルターであって、前記カバーに対向する表面と前記基台に対向する裏面からなるシート状のフィルターと、前記フィルターの前記表面の端部が前記カバーに接触し、前記裏面の端部が前記基台に接触するように固定され、前記ディスクの回転により発生した流動空気を前記フィルターの裏面から前記表面へ上下方向に移動させることによって、前記ハウジング内部の空気を循環させるフィルター固定部を備えることを特徴としている。【選択図】      図１
2009015882.tif 000002
【特許請求の範囲】
【請求項１】
基台とカバーからなるハウジングと、
前記ハウジング内に回転可能に搭載されたディスクと、
前記ハウジング内の流動空気から粉塵をろ過するためのフィルターであって、前記カバーに対向する表面と前記基台に対向する裏面からなるシート状のフィルターと、
前記フィルターの前記表面の端部が前記カバーに接触し、前記裏面の端部が前記基台に接触するように固定され、前記ディスクの回転により発生した流動空気を前記フィルターの裏面から前記表面へ上下方向に移動させることによって、前記ハウジング内部の空気を循環させるフィルター固定部と
を備えることを特徴とするディスク装置。
【請求項２】
前記フィルターは、前記フィルターの前記表面の端部と前記裏面の端部とを結ぶ線と、前記基台面との成す角が鋭角となるよう前記ハウジングに固定される
ことを特徴とする請求項１に記載のディスク装置。
【請求項３】
前記フィルターの前記裏面から前記表面を通過した流動空気を前記ディスクの上面から合流させる空気循環部を有する
ことを特徴とする請求項１乃至前記請求項２のいずれか１項に記載のディスク装置。
【発明の詳細な説明】
【技術分野】
【０００１】
この発明は、ディスクが内蔵されたハウジング内の粉塵をフィルタリングするフィルター機構を有するディスク装置に関する。
【背景技術】
【０００２】
一般に、磁気ディスク装置には基台とトップカバーからなるハウジング内の粉塵をろ過するための循環フィルターが設けられている。この循環フィルターはベースである基台に形成した溝部にはめ込まれ、トップカバーで外れ防止を行なっている。そのため、フィルターの両端を基台の溝部にはめ込んだ構造であることから、この形状ではフィルターの空気をろ過する部位を大きく広げることは出来ない。
【０００３】
さらに、フィルターを通過した空気はディスク媒体であるプラッタの側面から合流することとなることから、ディスクの回転により空気流との摩擦から発生するディスクフラッタへの影響が懸念される。
【０００４】
また、一般的な小型の磁気ディスク装置において、粉塵を捕集するためのフィルターはトップカバーの内面に設けられていることが多い。しかし、このような磁気ディスク装置においては、上部と下部での空気流の交差流動がほとんどなく、ディスクの下部で流動する空気は、ディスクの上部にほとんど移動せず、ディスクの下部にたまったままで、ハウジング内部での空気の上下方向の循環が行われない状態であった。
【０００５】
すなわち、ハウジング内部での空気の循環が円滑に行われないため、ディスク下部の空気がディスク上部に流入しづらくなり、ディスクの下部で流動する空気に含まれる粉塵をフィルタリングすることがほとんどできなかった。
【０００６】
上記のような問題を解決するため、ディスクの回転により発生した流動空気を上下方向に移動させて、ハウジング内部での空気の上下方向の循環を発生される構造の磁気ディスク装置が提案されている（例えば、特許文献１）。
【特許文献１】特開２００７−１２２６０号公報
【発明の開示】
【発明が解決しようとする課題】
【０００７】
しかしながら、上述の磁気ディスク装置に設けられたフィルター自体は依然としてトップカバー内面に表面のみがハウジング内部に対向するように貼り付けられた構造をとっている。そのため、単にディスク下面の流動空気をディスク上面、すなわちトップカバー側のフィルター対向面に運ぶような構造となっており、、このような構造では装置内に浮遊する粉塵を効率よく捕集できているとはいえない。
【０００８】
すなわち、せっかくハウジング内での空気の上下方向の循環を発生させても、空気流がフィルター表面を流れながら粉塵を捕集する所謂フローバイフィルターを用いていたのでは、粉塵捕集能力に限界があり、効率の良いフィルタリングができてはいなかった。
【０００９】
この発明は以上の点に鑑みなされたもので、その目的は、通過型の循環フィルターによって、その流路を通過した空気が効率よくフィルターを通過でき、通過部の面積を大きくすることで、ハウジング内の空気の流れに浮遊する粉塵を捕集しやすく、且つ、浄化された空気の合流をディスク媒体であるプラッタ上部から行うことによって、空気の乱流を防止できるディスク装置を提供することにある。
【課題を解決するための手段】
【００１０】
上記目的を達成するため、本発明のディスク装置は、基台とカバーからなるハウジングと、前記ハウジング内に回転可能に搭載されたディスクと、前記ハウジング内の流動空気から粉塵をろ過するためのフィルターであって、前記カバーに対向する表面と前記基台に対向する裏面からなるシート状のフィルターと、前記フィルターの前記表面の端部が前記カバーに接触し、前記裏面の端部が前記基台に接触するように固定され、前記ディスクの回転により発生した流動空気を前記フィルターの裏面から前記表面へ上下方向に移動させることによって、前記ハウジング内部の空気を循環させるフィルター固定部とを備えることを特徴としている。
【発明の効果】
【００１１】
本発明によれば、通過型の循環フィルターによって、その流路を通過した空気が効率よくフィルターを通過でき、通過部の面積を大きくすることで、ハウジング内の空気の流れに浮遊する粉塵を捕集しやすく、且つ、浄化された空気の合流をディスク媒体であるプラッタ上部から行うことによって、空気の乱流を防止できるディスク装置を提供することが可能となる。
【発明を実施するための最良の形態】
【００１２】
以下、図面を参照しながらこの発明の実施の形態について詳細に説明する。
図１は本発明の実施形態におけるディスク装置の全体構造を示す図である。また、図２は図１における破線部Ａを拡大した詳細図面である。
図１において、１１はディスク装置のベース筐体である基台であり、アルミニウムの鋳造により形成されている。もしくは鉄系材料をプレスして形成しても良い。この基台１１には後述する装置内の粉塵を補修するための透過型の循環フィルターを保持するフィルター保持部１５が形成されている。１４は基台１１上に図示しないスピンドルモータを介してして搭載される情報を記録するディスク媒体である。１３は基台１１とともにハウジングを形成するトップカバーである。トップカバー１３は基台１１内にディスク媒体１４を閉塞するように取り付けられ、ディスク装置内の機密性を保持するように取り付けられる。このトップカバー１３には、基台１１のフィルター保持部１５に対向する位置にフィルター固定部１６が設けられている。
【００１３】
１２はトップカバー１３に対向する表面と基台１１に対向する裏面をもつシート状のフィルターで、フィルター１２の表面から裏面、あるいはフィルター１２の裏面から表面に流動空気を通過させ、この空気内にある粉塵を捕集しディスク内の空気を浄化する透過型のフィルターである。フィルター１２は循環フィルターと呼ばれる。なお、図１、図２においては基台１１、フィルター１２、トップカバー１３の位置関係が理解しやすいように位置関係をずらした分解図により示している。
【００１４】
次に、図２を用いて本実施形態のフィルター取り付け構造について詳細に説明する。図２は図１の破線Ａ部分を拡大した図面である。基台１１にも受けられたフィルター保持部１５には、ディスク媒体１４が矢印に示すディスク回転方向に高速で回転した場合に発生する流動空気をフィルター保持部１５に導入、排出するとともに、フィルター１２を保持する構造がとられている。
【００１５】
具体的には、フィルター保持部１５には空気流入部１５ａ、フィルター搭載部１５ｂ、空気排出部１５ｃ、空気循環部１５ｄとから構成される。
空気流入部１５ａは、ディスク媒体１４が図２中の矢印方向に高速回転された場合、フィルター搭載部１５ｂよりも上流に形成され、流動空気がフィルター搭載部１５ｂに速やかに導入されるような小道（パス）状に形成される。フィルター保持部１５は空気流入部１５ａに連続して形成され、空気流入部１５ａよりも若干広い空間を形成する。また、フィルター１２が接触して搭載されるよう空洞上になっているとともに、フィルター１２が搭載された時にフィルター１２が傾斜するよう空気流入部１５側が空気排出部１５ｃよりも高く形成されている。そしてこのフィルター搭載部１５ｂに続く下流に空気排出部１５ｃが形成される。さらにこの空気排出部１５ｃに連続して流動空気をディスク媒体１４の上面から合流させるための空気循環部１５ｄが形成されている。
【００１６】
また、トップカバー１３には、基台１１のフィルター保持部１５に対向する位置にフィルター固定部１６が設けられているが、このフィルター固定部１６も空気流入側でフィルター１２の表面の端部に接触し、基台１１のフィルター保持部１５に設けられたフィルター搭載部１５ｂとフィルター１２をはさむように固定するフィルター接触固定部１６ａが形成されている。
【００１７】
さらに、フィルター接触固定部１６ａから空気排出側に離れる方向にフィルター非接触固定部１６ｂが設けられ、このフィルター非接触固定部１６ｂからフィルター接触固定部１６ａに方向にフィルター接触固定部１６ａが基台１１側に突出する形状になっている。
【００１８】
次に、循環型フィルターであるフィルター１２の構造を図３を用いて詳細に説明する。フィルター１２は、トップカバー１３に対向する表面１２ｅと基台１１のフィルター保持部１５に対向する裏面１２ｆとを持つシート状に形成されている。その取り付け状態については図４を用いて詳細に後述する。
【００１９】
フィルター１２は、フィルター保持部１５の空気流入部１５ａに対応し、またトップカバー１３のフィルター接触固定部１６ａに対応する部分にフィルター空気流入部１２ｄが設けられ、同じく、フィルター保持部１５の空気流出部１５ｃに対応し、トップカバー１３のフィルター非接触固定部１６ｂに対応する部分にフィルター空気排出部１２ｃが設けられている。
【００２０】
またフィルター１２は正面から見た場合、略長方形をしておりフィルター空気流入部１２ｄ、フィルター空気排出部１２ｃを各々一辺としたとき、それ以外の二辺がフィルター側面部１２ｂとして形成される。そして、これらに囲まれ実質的に空気の浄化を行う部分であるフィルター本体部１２ａが形成されている。
【００２１】
次に、図４を用いて本実施形態のフィルター取り付け構造を詳細に説明する。図４は本実施形態におけるディスク装置のフィルター取付け部の断面を示したもので、基台１１とトップカバー１３からなるハウジング形成されている。
【００２２】
このハウジング内の流動空気から粉塵をろ過するためのフィルター１２であって、トップカバー１３に対向する表面１２ｅと、基台１１に対向する裏面１２ｆからなるシート状の循環フィルター１２が設けられている。
【００２３】
この循環フィルター１２は、表面１２ｅの端部であるフィルター空気流入部１２ｄ近傍がトップカバー１３のフィルター接触固定部１６ａに接触し、基台１１のフィルター保持部１５に設けられたフィルター搭載部１５ｂとともにフィルター１２をはさむように固定されている。
【００２４】
また、循環フィルター１２は、裏面１２ｆの端部であるフィルター空気流出部１２ｃ近傍が基台１１のフィルター保持部１５の空気流出部１５ｃに接触するように固定されている。
【００２５】
図示しないディスク媒体１４の回転により発生した流動空気（図４中の矢印）をフィルター１２の裏面１２ｆから表面１２ｅへ上下方向に移動させることによって、ハウジング内部の空気を循環させる構造をとる。
【００２６】
より具体的には、循環フィルター１２は、その表面１２ｆの端部１２ｄと裏面１２ｆの端部１２ｃとを結ぶ線、すなわち、図４中の線分Ａ−Ｏと、基台１１の基台面、すなわち、図４中の線分Ｂ−Ｏとの成す角、すなわち、角ＡＯＢである角αが鋭角となるようにハウジングに固定されている。すなわち、フィルター搭載部１５ｂにフィルター１２が搭載された時にフィルター１２が傾斜するよう空気流入部１５ａ側が空気排出部１５ｃよりも高く形成されて、流動空気がハウジングの下部から傾斜して搭載されたフィルター１２の裏面１２ｆからフィルター１２ｅをとおり、ハウジングの上部に抜ける構造をとっている。
【００２７】
さらに、この流動空気、すなわち、フィルター１２の裏面１２ｆから表面１２ｅを通過した流動空気は、基台１１の空気排出部１５ｃに連続して設けられた空気循環部１５ｄを通過し、ディスク媒体１４の上面から導かれ合流する。
【００２８】
なお、図５、図６は上述した本実施形態の流動空気の通過状態を模式的に表した図で、図４は図５の線分Ｃ−Ｃから見た断面を示している。本実施形態においては、各図の矢印のように流動空気が移動する。本実施形態のようなフィルター配置構造によれば、フィルター１２の流動空気への対向面積が従来よりも広くすることが可能となる。従来フィルターを縦置きにしたものと比較した場合、その流動空気への対応面積が従来２１．４ｍｍ２であったものが、本実施形態によれば、３０．２ｍｍ２まで拡大でき、粉塵捕集能力が格段に向上できている。
【００２９】
また、循環フィルター１２を透過した空気が下部から上部方向へ流れ、さらにディスク媒体１４の上面に導かれ合流することで、従来ディスク媒体側面から合流していた空気に比べ、合流時に乱れを抑制でき、ディスクフラッタを低減することが可能となる。
【００３０】
以上述べたように、本発明のディス装置は、過型の循環フィルターによって、その流路を通過した空気が効率よくフィルターを通過でき、通過部の面積を大きくすることで、ハウジング内の空気の流れに浮遊する粉塵を捕集しやすく、且つ、浄化された空気の合流をディスク媒体であるプラッタ上部から行うことによって、空気の乱流を防止できるディスク装置を提供することが可能となる。
【図面の簡単な説明】
【００３１】
【図１】本発明の実施形態に係るディスク装置の全体構造を示す図。
【図２】本発明の実施形態に係るフィルター取付け部の構造を示す図。
【図３】本発明の実施形態に係るフィルター構造を示す図。
【図４】本発明の実施形態に係るフィルター取付け構造を示す断面図。
【図５】本発明の実施形態に係る流動空気の移動状態を示す図。
【図６】本発明の実施形態に係るフィルター通過後の流動空気の状態を示す図。
【符号の説明】
【００３２】
１１…基台
１２…循環フィルター
１３…トップカバー
１４…ディスク媒体
１５…フィルター保持部
１６…フィルター固定部
【図１】
2009015882.tif 000003
【図２】
2009015882.tif 000004
【図３】
2009015882.tif 000005
【図４】
2009015882.tif 000006
【図５】
2009015882.tif 000007
【図６】
2009015882.tif 000008